(57)【特許請求の範囲】
【請求項１】
水平材と斜材とを有する塔体の所定の高さに風向風速計を取り付ける風向風速計の取付治具であって、
上端に方位設定治具が着脱可能に取り付けられる上下方向に延びる第１支持軸と、前記第１支持軸から離間した位置に前記第１支持軸と平行に設けられるとともに、上端に風向風速計が着脱可能に取り付けられる第２支持軸と、前記第１支持軸と前記第２支持軸とを連結する槍出し金具と、前記第１支持軸の上端部を前記水平材に取り付ける第１取付手段と、前記第１支持軸の下端部を前記斜材に取り付ける第２取付手段と、前記第１取付手段よりも下方且つ前記第２取付手段よりも上方の前記斜材の部分に前記第１支持軸の中央部を取り付ける第３取付手段とを備え、
前記第１取付手段、前記第２取付手段、及び前記第３取付手段のそれぞれは、前記第１支持軸の前記塔体の表面に沿う方向への取付角度を調整する第１取付角度調整金具を備え、
前記第１取付手段は、前記第１支持軸の前記塔体の塔芯に対する角度を調整する第２取付角度調整金具を備えていることを特徴とする風向風速計の取付治具。
【請求項２】
前記第１取付手段の前記第１取付角度調整金具は、前記水平材に固定される固定金具にねじ締結体を介して取り付けられる金具本体を備え、この金具本体に前記第１支持軸が連結され、
前記第２取付手段の前記第１取付角度調整金具は、前記斜材に固定される固定金具にねじ締結体を介して取り付けられる金具本体を備え、この金具本体に前記第１支持軸が連結され、
前記第３取付手段の前記第１取付角度調整金具は、前記斜材に固定される固定金具にねじ締結体を介して取り付けられる金具本体を備え、この金具本体に前記第１支持軸が連結されていることを特徴とする請求項１に記載の風向風速計の取付治具。
【請求項３】
前記第２取付角度調整金具は、前記第１取付手段の前記第１取付角度調整金具の金具本体と前記第１支持軸との間に設けられ、一端が前記第１支持軸に固定される固定金具にねじ締結体を介して連結され、他端が前記金具本体にねじ締結体を介して連結される連結板であって、何れか一方のねじ締結体に対応する前記連結板の部分が長孔に形成されていることを特徴とする請求項２に記載の風向風速計の取付治具。
【請求項４】
前記第２取付角度調整金具は、前記第１取付手段の前記第１取付角度調整金具の金具本体と前記第１支持軸との間に設けられ、一端が前記第１支持軸に固定される固定金具にねじ締結体を介して連結され、他端が前記金具本体にねじ締結体を介して連結されるリンク機構であることを特徴とする請求項２に記載の風向風速計の取付治具。
【請求項５】
前記方位設定治具は、前記第１支持軸の上端に着脱可能に取り付けられるとともに、前記第１支持軸の軸線上に基準点が設けられる基準板と、前記基準点が中心となるように設けられる所定の半径の円弧板状の角度目盛板と、前記基準板の前記基準点に鉛直に設けられるリアサイトと、前記角度目盛板に周方向に移動可能に設けられるフロントサイトと、前記リアサイトと前記フロントサイトとを結ぶ目標線と、一端が前記基準点に連結されるとともに、他端が前記角度目盛板に連結され、かつ、他端が前記角度目盛板の周方向に移動可能な糸状の磁方位線と、前記磁方位線上に設けられる方位磁針と、前記基準板の上部に設けられる前記基準点と所定の方位とを結ぶ真方位線とを備えていることを特徴とする請求項１〜４の何れか１項に記載の風向風速計の取付治具。
【請求項６】
前記磁方位線は、磁気子午線であり、前記真方位線は、前記基準点と真北又は真南を結ぶ真の子午線であることを特徴とする請求項５に記載の風向風速計の取付治具。
【発明の詳細な説明】
【技術分野】
【０００１】
本発明は、風向風速計の取付治具に関し、特に、水平材と斜材とを有する鉄塔等の塔体の所定の高さに風向風速計を設置するのに有効な風向風速計の取付治具に関する。
【背景技術】
【０００２】
風向風速計を設置する場合、風向がずれたまま表示、計測されるのを防止するため、風向風速計の向きを所定の向きに（一般的には真北）に設定する必要がある。このため、従来は、地図、南中時刻における太陽の方向、方位磁石等を用いて、風向風速計の向きを真北に設定している。
【０００３】
また、特許文献１や特許文献２に記載のように、送電鉄塔等の構造物に風向風速計を設置する場合には、構造物自体の影響を避けるため、やりだし等によって構造物から水平方向にできるだけ離した位置に設置する必要があるが、作業員の足場を設置できない状況での作業となるため、大掛かりな測量装置や、太陽の位置を利用する真北計等は利用しにくく、作業に時間と手間がかかる。また、方位磁針による方法は、鉄塔等の鋼製の構造物の場合には、構造物が持つ磁気の影響で地磁気が乱れ、方位磁針が磁北線からずれることもあるため、設置精度が低下する。
【先行技術文献】
【特許文献】
【０００４】
【特許文献１】特開平６−１６２３８１号公報
【特許文献２】特開２０１２−１５５４５７号公報
【発明の概要】
【発明が解決しようとする課題】
【０００５】
本発明は、上記のような従来の問題に鑑みなされたものであって、送電線鉄塔等の塔体に風向風速計を設置する作業を、容易に、短時間で、精度よく行うことができる、風向風速計の取付治具を提供することを目的とする。
【課題を解決するための手段】
【０００６】
上記のような課題を解決するために、本発明は、以下のような手段を採用している。
すなわち、本発明は、水平材と斜材とを有する塔体の所定の高さに風向風速計を取り付ける風向風速計の取付治具であって、上端に方位設定治具が着脱可能に取り付けられる上下方向に延びる第１支持軸と、前記第１支持軸から離間した位置に前記第１支持軸と平行に設けられるとともに、上端に風向風速計が着脱可能に取り付けられる第２支持軸と、前記第１支持軸と前記第２支持軸とを連結する槍出し金具と、前記第１支持軸の上端部を前記水平材に取り付ける第１取付手段と、前記第１支持軸の下端部を前記斜材に取り付ける第２取付手段と、前記第１取付手段よりも下方且つ前記第２取付手段よりも上方の前記斜材の部分に前記第１支持軸の中央部を取り付ける第３取付手段とを備え、前記第１取付手段、前記第２取付手段、及び前記第３取付手段のそれぞれは、前記第１支持軸の前記塔体の表面に沿う方向への取付角度を調整する第１取付角度調整金具を備え、前記第１取付手段は、前記第１支持軸の前記塔体の塔芯に対する角度を調整する第２取付角度調整金具を備えていることを特徴とする。
【０００７】
本発明の風向風速計の取付治具によれば、第１支持軸の上端部を第１取付手段により水平材に取り付け、第１支持軸の下端部を第２取付手段により斜材に取り付け、第３取付手段により前記第１取付手段よりも下方且つ前記第２取付手段よりも上方の前記斜材の部分に前記第１支持軸の中央部を取り付けることにより、取付治具を介して風向風速計を塔体の所定の高さに取り付けることができる。
また、第１取付角度調整金具により、第１支持軸の塔体の表面に沿う方向への角度を調整し、第２取付角度調整金具により、第１支持軸の塔体の塔芯に対する角度を調整することにより、第１支持軸の軸線を鉛直線に一致させることができて、第１支持軸の上端に取り付けられる方位設定治具、及び第２支持軸の上端に取り付けられる風向風速計を水平にすることができる。
そして、方位設定治具を操作することにより、方位設定治具により求めた方位に基づいて風向風速計を設置することができ、風向風速計を使用可能な状態とすることができる。
上記の第１支持軸の塔体の表面に沿う方向への角度調整、塔体の塔芯に対する角度調整、及び方位設定治具により求めた方位に基づいて風向風速計を設置する作業は、全て塔体側で行うことができるので、風向風速計の塔体への取付作業を容易に、短時間で、精度よく行うことができる。
また、塔体が送電鉄塔のように、柱材が塔芯に対して所定の角度で傾斜している場合であっても、第１取付角度調整金具により第１支持軸の塔体の表面に沿う方向への角度を調整し、第２取付角度調整金具により第１支持軸の塔体の塔芯に対する角度を調整することにより、第１支持軸の軸線を鉛直線に容易に一致させることができるので、柱材の傾斜角度が異なる各種の塔体に適用することができる。
また、風向風速計を取り付ける第２支持軸は、第１支持軸から離間した位置に設けられているので、塔体付近の風による影響を受けるのを防止でき、風向風速計による計測精度を高めることができる。
【０００８】
また、本発明において、前記第１取付手段の前記第１取付角度調整金具は、前記水平材に固定される固定金具にねじ締結体を介して取り付けられる金具本体を備え、この金具本体に前記第１支持軸が連結され、前記第２取付手段の前記第１取付角度調整金具は、前記斜材に固定される固定金具にねじ締結体を介して取り付けられる金具本体を備え、この金具本体に前記第１支持軸が連結され、前記第３取付手段の前記第１取付角度調整金具は、前記斜材に固定される固定金具にねじ締結体を介して取り付けられる金具本体を備え、この金具本体に前記第１支持軸が連結されている。
【０００９】
本発明の風向風速計の取付治具によれば、第１取付角度調整金具のねじ締結体を緩めることにより、第１支持軸の塔体の表面に沿う方向への取付角度を調整することができる。
【００１０】
また、本発明において、前記第２取付角度調整金具は、前記第１取付手段の前記第１取付角度調整金具の金具本体と前記第１支持軸との間に設けられ、一端が前記第１支持軸に固定される固定金具にねじ締結体を介して連結され、他端が前記金具本体にねじ締結体を介して連結される連結板であって、何れか一方のねじ締結体に対応する前記連結板の部分が長孔に形成されていることとしてもよい。
【００１１】
本発明の風向風速計の取付治具によれば、第２取付角度調整金具のねじ締結体を緩めることにより、第１支持軸を連結板を介して塔体の塔芯方向へ揺動させて、第１支持軸のその方向への取付角度を調整することができる。
【００１２】
また、本発明において、前記第２取付角度調整金具は、前記第１取付手段の前記第１取付角度調整金具の金具本体と前記第１支持軸との間に設けられ、一端が前記第１支持軸に固定される固定金具にねじ締結体を介して連結され、他端が前記金具本体にねじ締結体を介して連結されるリンク機構であることとしてもよい。
【００１３】
本発明の風向風速計の取付治具によれば、第２取付角度調整金具のねじ締結体を緩めることにより、第１支持軸をリンク機構を介して塔体の塔芯方向へ揺動させて、第１支持軸のその方向への取付角度を調整することができる。
【００１４】
また、本発明において、前記方位設定治具は、前記第１支持軸の上端に着脱可能に取り付けられるとともに、前記第１支持軸の軸線上に基準点が設けられる基準板と、前記基準点が中心となるように設けられる所定の半径の円弧板状の角度目盛板と、前記基準板の前記基準点に鉛直に設けられるリアサイトと、前記角度目盛板に周方向に移動可能に設けられるフロントサイトと、前記リアサイトと前記フロントサイトとを結ぶ目標線と、一端が前記基準点に連結されるとともに、他端が前記角度目盛板に連結され、かつ、他端が前記角度目盛板の周方向に移動可能な糸状の磁方位線と、前記磁方位線上に設けられる方位磁針と、前記基準板の上部に設けられる前記基準点と所定の方位とを結ぶ真方位線とを備えていることとしてもよい。
【００１５】
本発明の風向風速計の取付治具によれば、方位設定治具のリアサイトとフロントサイトとを結ぶ目標線上に目標点が位置するように、方位設定治具を第１支持軸の軸線周りに回転させることにより、目標線を基準点における目標点の方位角に合わせる。そして、方位磁針の所定方位に磁方位線が一致するように方位設定治具を第１支持軸の軸線周りに回転させ、磁方位線を基準点における方位磁針の所定方位に合わせる。これにより、方位設定治具の真方位線を所定の方位に合わせることができ、この真方位線に風向風速計の所定方位が一致するように、風向風速計を第２支持軸の軸線周りに回転させて、一致した位置に風向風速計を固定することにより、風向風速計の設置が完了することができ、風向風速計を使用可能な状態とすることができる。
【００１６】
また、本発明において、前記磁方位線は、磁気子午線であり、前記真方位線は、前記基準点と真北又は真南を結ぶ真の子午線であることとしてもよい。
【００１７】
本発明による風向風速計の取付治具によれば、方位磁針のコンパスに磁気子午線が一致するように方位設定治具を第１支持軸の軸線周りに回転させ、磁気子午線を基準点における方位磁針のコンパスに合わせる。これにより、方位設定治具の真の子午線を真北又は真南に合わせることができ、この真の子午線に風向風速計の北又は南が一致するように、風向風速計を第２支持軸の軸線周りに回転させて、一致した位置に風向風速計を固定することにより、風向風速計の設置が完了することができ、風向風速計を使用可能な状態とすることができる。
【発明の効果】
【００１８】
以上、説明したように、本発明の風向風速計の取付け治具によれば、風向風速計の塔体の所定の高さへの設置を容易に、短時間で、精度よく行うことができる。
【図面の簡単な説明】
【００１９】
【図１】本発明による風向風速計の取付治具が取り付けられる鉄塔を示した概略図である。
【図２】風向風速計の取付治具の正面図である。
【図３】図２の第２支持軸を省略した右側面図である。
【図４】風向風速計の取付治具の第２取付角度調整金具の動作を示した説明図であって、図３のａ、ｂ方向から見た説明図である。
【図５】図３のｃ方向から見た説明図である。
【図６】方位設定治具の平面図である。
【図７】図６の右側面図である。
【図８】フロントサイトと角度目盛板との関係を示した拡大図である。
【図９】方位設定治具による北方位の設定作業を示した説明図である。
【図１０】風向風速計の変形例を示した説明図である。
【図１１】風向風速計の変形例を示した説明図である。
【図１２】風向風速計の他の変形例を示した説明図である。
【図１３】風向風速計の他の変形例を示した説明図である。
【図１４】風向風速計の他の変形例を示した説明図である。
【図１５】風向風速計の他の変形例を示した説明図である。
【発明を実施するための形態】
【００２０】
以下、図面を参照しながら本発明の実施の形態について説明する。
図１〜図９には、本発明による風向風速計の取付治具の一実施の形態が示されている。本実施の形態の風向風速計の取付治具（以下、取付治具１という。）は、水平材と斜材とを有する塔体、例えば、主柱材６２と、主柱材６２間に水平に設けられる主水平材６３と、主柱材６２間に斜めに設けられる主斜材６４と、主柱材６２と主斜材６４との間に水平に設けられる補助水平材６５と、主斜材６４と主水平材６３との間に斜めに設けられる補助斜材６６とを備えた送電鉄塔（以下、鉄塔６１という。）に適用され、鉄塔６１の補助水平材（以下、水平材６５という。）と補助斜材（以下、斜材６６という。）とによって構成される三角形の取付座を利用して、鉄塔６１の所定の高さの位置に風向風速計６０を取り付けるように構成したものである。
なお、本実施の形態の鉄塔６１は、主柱材６１が塔芯に対して所定の角度で傾斜している。また、水平材６５及び斜材６６を構成するアングル材は、角部が塔芯側に位置するように鉄塔６１に配置されている。
【００２１】
取付治具１は、図２〜図５に示すように、上端に方位設定治具４０が着脱可能に取り付けられるパイプ状の第１支持軸２と、第１支持軸２と間隔をおいて平行に設けられるとともに、上端に風向風速計６０が着脱可能に取り付けられるパイプ状の第２支持軸３と、第１支持軸２と第２支持軸３とを連結する槍出し金具６と、第１支持軸２の上端部をアングル材からなる水平材６５に取り付ける第１取付手段１１と、第１支持軸２の下端部をアングル材からなる斜材６６に取り付ける第２取付手段３５と、第１支持軸２の中央部を第１取付手段１１よりも下方且つ第２取付手段３５よりも上方の斜材６６の部分に取り付ける第３取付手段３６とを備えている。
【００２２】
槍出し金具６は、第１支持軸２の中央部に上下に間隔をおいて固定されるクランプ金具９ａ、９ｂと、第２支持軸３の下端部に固定されるクランプ金具９ｃと、第１支持軸２の上側のクランプ金具９ａと第２支持軸３のクランプ金具９ｃとの間を連結する梁材７と、梁材７と第１支持軸２の下側のクランプ金具９ｂとの間を連結する斜材８とから構成されている。各クランプ金具９ａ〜９ｃは、ねじ１０により第１支持軸２及び第２支持軸３に固定されている。
【００２３】
梁材７と第１支持軸２の上側のクランプ金具９ａとの間、梁材７と第２支持軸３のクランプ金具９ｃとの間、及び斜材８と第１支持軸２の下側のクランプ金具９ｂとの間、斜材８と梁材７との間、斜材８とクランプ金具９ｂとの間は、それぞれ溶接、ねじ等によって一体に連結されている。
【００２４】
第１取付手段１１は、第１支持軸２の上端部に固定される第１固定金具１２と、水平材６４に固定される第２固定金具１５と、第２固定金具１５に取り付けられる第１取付角度調整金具２２と、第１固定金具１２と第１取付角度調整金具２２との間に取り付けられる第２取付角度調整金具２７とを備えている。
【００２５】
第１固定金具１２には、例えば、一部が切り離された環状のバンド部１３と、バンド部１３の切り離された端片間を締め付けるねじ１４とを備えた単管用のクランプが用いられる。第１固定金具１２のバンド部１３の内側に第１支持軸２を挿通させ、この状態でねじ１４を締め付けることにより、第１固定金具１２が第１支持軸２の上端部に固定される。
【００２６】
第２固定金具１５には、例えば、Ｌ形板状の金具本体１６と、金具本体１６の両板片１６ａ、１６ｂ間を斜め方向から締め付けるねじ締結体１８とを備えた鋼材用のクランプが用いられる。第２固定金具１５の金具本体１６の内側に水平材６４を挿通させ、この状態で金具本体１６の両板片１６ａ、１６ｂ間にねじ締結体１８の棒ねじ１９を貫通させ、棒ねじ１９の金具本体１６の両板片１６ａ、１６ｂから突出させた部分にＬ型ワッシャ２０を介してナット２１を螺合させて締め付けることにより、第２固定金具１５が水平材６４に固定される。
【００２７】
第２固定金具１５の金具本体１６の一方の板片１６ａの先端には、外側（図２の上方）にコ形状に屈曲された取付角度調整金具取付部１７が設けられ、この取付角度調整金具取付部１７に第１取付角度調整金具２２が取り付けられる。
なお、取付角度調整金具取付部１７は、水平材６４よりも上方に配置される。
【００２８】
第１取付角度調整金具２２は、第２固定金具１５の金具本体１６の取付角度調整金具取付部１７に取り付けられるアングル材からなるＬ形板状の金具本体２３と、金具本体２３の一方の板片２３ａを取付角度調整金具取付部１７に取り付けるボルト２５とナット２６とからなるねじ締結体２４とから構成されている。
【００２９】
第２取付角度調整金具２７は、一端が第１固定金具１２のバンド部１３に連結され、他端が第１取付角度調整金具２２の金具本体２３の他方の板片２３ｂに連結される板状の連結部材２８と、連結部材２８の一端を第１固定金具１２のバンド部１３に連結するねじ部３０とナット３１とからなるねじ締結体２９と、連結部材２８の他端を第１取付角度調整金具２２の金具本体２３の他方の板片２３ｂに連結するボルト３３とナット３４とからなるねじ締結体３２とから構成されている。
【００３０】
連結部材２８の一端には、ねじ締結体２９のねじ部３０を挿通させるボルト挿通孔２８ａが設けられ、連結部材２８の他端には、ねじ締結材３２のボルト３３を挿通させるねじ挿通用長孔２８ｂが設けられている。
なお、ボルト挿通孔２８ａを長孔とし、ボルト挿通用長孔２８ｂを孔としてもよいし、両方を長孔としてもよい。
【００３１】
第２取付手段３５は、第１支持軸２の下端部に固定される第１固定金具１２と、斜材６５に固定される第２固定金具１５と、第２固定金具１５に取り付けられる第１取付角度調整金具２２と、第１取付角度調整金具２２を第２固定金具１５に固定するねじ締結体２４と、第１取付角度調整金具２２を第１固定金具１２に固定するねじ締結体２９とを備えている。
【００３２】
第２取付手段３５の第１固定金具１２、第１取付角度調整金具２２、ねじ締結体２４、及びねじ締結体２９は、第１取付手段５の第１固定金具１２、第１取付角度調整金具２２、ねじ締結体２４、及びねじ締結体２９と同一構成を有しているので、それらの詳細な説明は省略するものとする。
【００３３】
第２取付手段３５の第２固定金具１５は、金具本体１６の一方の板片１６ａの先端に、外側（図２の手前側）にＬ形状に屈曲させた取付角度調整金具取付部１７ａが設けられ、この取付角度調整金具取付部１７ａに第１取付角度調整金具２２の金具本体２３の一方の板片２３ａがねじ締結体２４によって取り付けられる。金具本体２３の他方の板片２３ｂは、第１固定金具１２のバンド部１３に設けられたねじ締結体２９のねじ部３０を挿通させてナット３１で締め付けることにより、第１固定金具１２に固定される。なお、取付角度調整金具取付部１７ａは斜材６５よりも上方に配置される。
【００３４】
第３取付手段３６は、第１支持軸２の中央部にねじ３９により固定されるＴ型継手金具３７と、Ｔ型継手金具３７に水平に取り付けられるパイプ状の梁部材３８と、梁部材３８の先端に取り付けられる第１固定金具１２と、斜材６５に固定される第２固定金具１５と、第１固定金具１２と第２固定金具１５との間に取り付けられる第１取付角度調整金具２２とを備えている。
【００３５】
第３取付手段３５の第１固定金具１２及び第１取付角度調整金具２２は、第１取付手段１１の第１固定金具１２及び第１取付角度調整金具２２と同一構成を有しているので、それらの詳細な説明は省略する。
【００３６】
第３取付手段３５の第２固定金具１５は、第２取付手段３０と同様に、金具本体１６の一方の板片１６ａの先端に、外側にＬ形状に屈曲させた取付角度調整金具取付部１７ａが設けられ、この取付角度調整金具取付部１７ａに第１取付角度調整金具２２の金具本体２３の一方の板片２３ａがねじ締結体２４によって取り付けられる。金具本体２３の他方の板片２３ｂは、第１固定金具１２のバンド部１３に設けられたねじ締結体２９のねじ部３０を挿通させてナット３１で締め付けることにより、第１固定金具１２に固定される。なお、取付角度調整金具取付部１７ａは斜材６５よりも上方に配置される。
【００３７】
第１取付手段１１の第１取付角度調整金具２２、第２取付手段３５の第１取付角度調整金具２２、及び第３取付角度調整金具２２により、第１支持軸２の鉄塔６１の表面に沿う方向（図３の矢印ａ−ａ方向、図２の紙面に直交する方向）への角度を調整することができる。
具体的には、第１取付手段１１の第１取付角度調整金具２２のねじ締結体２４のナット２６、第２取付手段３５の第１取付角度調整金具２２のねじ締結体２４のナット２６、及び第３取付手段３６の第１取付角度調整金具２２のねじ締結体２４のナット２６を緩めた状態とする。これにより、第２取付手段３５のねじ締結体２４のボルト２５の軸線を中心として、第１支持軸２を鉄塔６１の表面に沿う方向（図３の矢印ａ−ａ方向、図２の紙面に直交する方向）に揺動させることができ、第１支持軸２のその方向への角度を調整することができる。
【００３８】
第１取付手段の第２取付角度調整金具２７により、第１支持軸２の塔芯に対する角度（図２の矢印ｂ−ｂ方向への角度、図３の紙面に直交する方向への角度）を調整することができる。
具体的には、第１取付手段１１の第１取付角度調整金具２２のねじ締結体２４のナット２６、第２取付手段３５の第１取付角度調整金具２２のねじ締結体２４のナット２６、及び第３取付手段３６の第１取付角度調整金具２２のねじ締結体２４のナット２６を締め付けた状態として、第１取付手段１１の第２取付角度調整金具２７のねじ締結体２９、３２のナット３１、３４、第２取付手段３５の第１取付角度調整金具２２の金具本体２３の他方の板片２３ｂを第１固定金具１２に固定するねじ締結体２９のナット３１、第３取付手段３６の第１取付角度調整金具２２の金具本体２３の他方の板片２３ｂを第１固定金具１２に固定するねじ締結体２９のナット３１を緩めた状態とする。これにより、第２取付手段３５のねじ締結体２０のねじ部３０の軸線を中心として、第１支持軸２を塔芯方向（図２の矢印ｂ−ｂ方向、図３の紙面に直交する方向）に揺動させることができ、第１支持軸２のその方向への角度を調整することができる。
【００３９】
なお、第１取付角度調整金具２２による第１支持軸２の塔芯の表面に沿う方向への角度調整、及び第２取付角度調整金具２２による第１支持軸２の塔芯に対する角度調整は、上記の各ねじ締結体２４、２９のナット２６、３１を緩めた状態、又は締め付けた状態とすることにより、人力によらずに自重によってその方向への角度調整が可能となる。
【００４０】
上記の第１取付角度調整金具２２により、第１支持軸２の鉄塔６１の表面に沿う方向への角度を調整し、第２取付角度調整金具２７により、第１支持軸２の鉄塔６１の塔芯に対する角度を調整することにより、第１支持軸２を鉛直線に一致させることができ、第１支持軸２の上端に後述する方位設置治具４０を水平に取り付けることができる。
【００４１】
方位設定治具４０は、図２、図６〜図９に示すように、帯板状の基準板４１と、基準板４１を第１支持軸２の上端に水平かつ回転可能に取り付ける脚部４３と、基準板４１の第１支持軸２の軸線上に位置する基準点４２に鉛直に設けられるリアサイト４８と、基準板４１の基準点４２が中心となるように設けられる所定の半径の円弧板状の角度目盛板５０と、角度目盛板５０の周方向に移動可能に設けられるフロントサイト５１と、リアサイト４８とフロントサイト５１とを結ぶ目標線５３と、一端が基準板４１の基準点４２に連結されるとともに、他端が角度目盛板５０に連結され、かつ、他端が角度目盛板５０の周方向に移動可能な糸状の磁方位線５４と、磁方位線５４線上に設けられる方位磁針５５と、基準板４１の上部に設けられる基準点４２と所定の方位とを結ぶ真方位線５６と、真方位線５６の角度目盛板５０に対応する部分に鉛直に設けられる表示棒５６ａと、基準板４１の上部に設けられる水平器５７とを備えている。角度目盛板５０にはスリット５０ａが設けられ、このスリット５０ａに挿通させた蝶ねじ５９により、フロントサイト５１が角度目盛板４６に固定される。
【００４２】
なお、本実施の形態においては、磁方位線５４を磁気子午線の磁北線５４とし、真方位線５６を真の子午線の真北線５６とし、風向風速計６０の北を真北線５６に合わせているが、磁方位線５４を磁気子午線の磁南線５４とし、真方位線５６を真の子午線の真南線５６として、それらにより求めた方位に基づいて風向風速計６０を設定してもよいし、磁方位線５４と真方位線５６とにより任意の方位を求めて、その方位に基づいて風向風速計６０を設置するようにしてもよい。
【００４３】
脚部４３は、第１支持軸２の上端に回転可能に取り付けられるとともに、ねじ４６によって第１支持軸２に固定されるキャップ４４と、キャップ４４の上部にねじ４７によって固定される基台４５とを備え、基台４５の上部に基準板４１が水平に取り付けられている。
【００４４】
リアサイト４８は、帯板状をなすものであって、上端に円形状の照準孔４９が設けられている。フロントサイト５１は、帯板状をなすものであって、幅方向の中央部に長さ方向を向く同一幅の長孔からなる照準孔５２が設けられている。リアサイト４８の照準孔４９とフロントサイト５１の照準孔５２とを結ぶ線が、基準点４２における任意の目標点５８の方位角を示す目標線５３となる。
【００４５】
本実施の形態においては、予め、基準点４２と任意の目標点５８の２地点の緯度、経度から方位角を求めておき、角度目盛板５０上においてこの方位角にフロントサイト５１をセットしておく。
【００４６】
また、予め、国土地理院発行の地形図等から基準点４２における偏角値を求めておき、磁北線５４の他端を角度目盛板５０に沿って移動させて、磁北線５４を偏角値に合わせておく。
【００４７】
風向風速計６０は、矢羽根型の風向風速計であって、第２支持軸３の上端に取り付けられる。風向風速計６０は、取付治具１の第１支持軸２を、その軸線が鉛直線に一致するように取付角度の調整をした後に、取付治具１の第１支持軸２の上端に方位設定治具４０をセットし、方位設定治具４０の真北線５６を真北に設定した後に、第２支持軸３上で回転させて風向風速計６０の北を真北線５６に一致させ、この状態で第２支持軸３の上端にねじ等により固定する。
【００４８】
そして、上記のように構成した本実施の形態の取付治具１を用いて風向風速計６０を鉄塔６１の所定の高さに取り付け、その位置において風向風速計６０を真北に設定するには、まず、取付治具１の第１支持軸２の軸線を鉛直線に一致させる作業を行う。
【００４９】
具体的には、第１取付手段１１の第１取付角度調整金具２２のねじ締結体２４のナット２６、第２取付手段３５の第１取付角度調整金具２２のねじ締結体２４のナット２６、及び第３取付手段３６の第１取付角度調整金具２２のねじ締結体２４のナット２６を緩めた状態とする。
【００５０】
そして、第１支持軸２を鉄塔６１の表面に沿う方向（図３の矢印ａ−ａ方向、図２の紙面に直交する方向）に揺動させることにより、第１支持軸２のその方向への角度を調整して、第１支持軸２の軸線が鉛直方向を向くように調整する。この場合、作業者の人力によって第１支持軸２を揺動させてもよいが、上記の各ねじ締結体２４のナット２６を緩めた状態とすることにより、自重によって第１支持軸２の軸線が鉛直方向を向くように自然に揺動させてもよい。
【００５１】
次に、第１取付手段１１の第１取付角度調整金具２２のねじ締結体２４のナット２６、第２取付手段３５の第１取付角度調整金具２２のねじ締結体２４のナット２６、及び第３取付手段３５の第１取付角度調整金具２２のねじ締結体２４のナット２６を締め付けた状態として、第１取付手段１１の第２取付角度調整金具２７のねじ締結体２９、３２のナット３１、３４、第２取付手段３５の第１取付角度調整金具２２の金具本体２３の他方の板片２３ｂを第１固定金具１２に固定するねじ締結体２９のナット３１、第３取付手段の第１取付角度調整金具２２の金具本体２３の他方の板片２３ｂを第１固定金具１２に固定するねじ締結体２９のナット３１を緩めることにより、第２取付手段３５のねじ締結体２０のねじ部３０の軸線を中心として、第１支持軸２を鉄塔６１の塔芯方向（図２の矢印ｂ−ｂ方向、図３の紙面に直交する方向）に揺動させ、第１支持軸２の塔芯に対する角度を調整し、第１支持軸２の軸線が鉛直方向を向くように調整する。
この場合、上記の各ねじ締結体２４のナット２６を締め付けた状態とし、各ねじ締結体２９、３２のナット３１、３４を緩めた状態とすることにより、自重によって第１支持軸２の軸線が鉛直方向を向くように自然に揺動させてもよい。
【００５２】
このようにして、第１支持軸２の鉄塔６１の表面に沿う方向の角度、及び鉄塔６１の塔芯に対する角度を調整して、第１支持軸２の軸線を鉛直線に一致させた後に、第１支持軸２の上端に方位設定治具４０を取り付け、第２支持軸２の上端に風向風速計６０を取り付け、方位設定治具４０の真北線５６を真北に合わせる作業を行う。
【００５３】
具体的には、図６に示すように、予め求めておいた基準点４２における目標点５８の方位角にフロントサイト５１をセットし、基準点４２における偏角値に磁北線５４をセットし、この状態で方位設定治具４０を第１支持軸２の上端に取り付ける。
【００５４】
そして、図９に示すように、方位設定治具４０のリアサイト４８の照準孔４９からフロントサイト５１の照準孔５２を通して目標点５８を覗き、目標点５８が目標線５３上に位置するように、方位設定治具４０を第１支持軸２の軸線周りに回転させ、目標線５３を基準点４２における目標点５８の方位角に合わせる。
【００５５】
次に、方位磁針５５のコンパスに磁北線５４が一致するように方位設定治具４０を第１支持軸２の軸線周りに回転させ、磁北線５４を基準点４２における方位磁針５５のコンパスに合わせる。
【００５６】
これにより、方位設置治具４０の真北線５６を真北に合わせることができ、この真北線５６の表示棒５６ａに風向風速計６０の北が一致するように、風向風速計６０を第２支持軸３の軸線周りに回転させて、一致した位置に風向風速計６０を固定することにより、風向風速計６０の設置が完了することになり、風向風速計６０を使用可能な状態とすることができる。
【００５７】
上記のように構成した本実施の形態の取付治具１にあっては、風向風速計６０を鉄塔６１の所定の高さに取り付けて使用可能な状態する場合に、鉄塔６１の水平材６５と斜材６６とを利用して、取付治具１を鉄塔６１の所定の高さに取り付け、鉄塔６１側において、取付治具１の第１支持軸２の軸線を鉛直線に一致させる角度調整作業、第１支持軸２の上端に取り付けた方位設定治具４０のリアサイト４８の照準孔４９からフロントサイト５１の照準孔５２を通して目標点５８を覗き、目標点５８が目標線５３上に位置するように、方位設定治具４０を第１支持軸２の軸線周りに回転させて、目標線５３を基準点４２における目標点５８の方位角に合わせる作業、方位磁針５５のコンパスに磁北線５４が一致するように方位設定治具４０を第１支持軸２の軸線周りに回転させて、磁北線５４を基準点４２における方位磁針５５のコンパスに合わせる作業とを行って真北線５６を真北に一致させ、この真北線５６に風向風速計６０の北を一致させればよいことになる。
【００５８】
従って、風向風速計６０を鉄塔６１の所定の高さに設置する場合に、作業者は鉄塔６１側において、方位設定治具４０を回転操作すればよいので、風向風速計６０を鉄塔６１の所定の高さに設置する作業を、容易に、短時間で、精度よく行うことができる。
【００５９】
また、風向風速計６０を支持する第２支持軸３は、第１支持軸２から槍出し金具６によって離間した位置に設けられているので、鉄塔６１付近の風の影響を受けるのを防止でき、風向風速計６０による風向、風速の計測精度を高めることができる。
【００６０】
また、鉄塔６１から離間した位置において、方位磁針５５のコンパスにより磁北線５４を一致させる作業を行うことになるので、鉄塔６１近傍の地磁気によって方位磁針５５が影響を受けるのを防止でき、磁北線５４を精度よく設定することができ、風向風速計６０の設置精度を高めることができる。
【００６１】
なお、上記の説明においては、基準方位を真北として、方位設定治具４０により求めた真北に風向風速計６０に設定した北を合わせることにより、風向風速計６０を設置したが、基準方位を真北に限らず任意の方位として、方位設定治具４０により求めた任意の方位に風向風速計６０に設定した任意の方位を合わせることにより、風向風速計６０を設置するようにしてもよい。
【００６２】
なお、前記の説明においては、第１取付手段１１の第２取付角度調整金具２７を、一端が第１固定金具１２のバンド部１３に連結され、他端が第１取付角度調整金具２２の金具本体２３の他方の板片２３ｂに連結される板状の連結部材２８によって構成し、連結部材２８の一端にボルト挿通用孔２８ａを設け、他端にボルト挿通用長孔２８ｂを設け、連結部材の一端をねじ部３０とナット３１とからなるねじ締結体２９によって第１固定金具１２のバンド部１３に連結し、連結部材２８の他端をボルト３３とナット３４とからなるねじ締結体３２によって第１取付角度調整金具２２の金具本体２３の他方の板片２３ｂに連結するように構成することにより、第１支持軸２を第２取付手段３５のねじ締結体２９のボルト３０の軸線を中心として揺動可能としたが、連結部材２８の代わりに周知のリンク機構を用い、このリンク機構を介して第１支持軸２を第２取付手段３５のねじ締結体２９のボルト３０の軸線を中心として揺動可能に構成してもよい。
【００６３】
図１０及び図１１には、取付治具１の変形例が示されている。この変形例は、水平材６５及び斜材６６のアングル材の向きが異なる場合に適用したものであって、その他の構成は前記実施の形態に示すものと同様である。
【００６４】
この変形例では、アングル材からなる水平材６５及び斜材６６は、角部が塔芯と反対側に位置するように鉄塔６１に配置されている。このような構成の水平材６５及び斜材６６に取付治具１を取り付ける場合、第１取付手段１１の第２固定金具１５の金具本体１６の取付角度調整金具取付部１７、及び第２取付手段３５の第２固定金具１５の金具本体１６の取付角度調整金具取付部１７ａ、及び第３取付手段３６の第２固定金具１５の金具本体１６の取付け角度調整金具取付部１７ａは、水平材６５及び斜材６６よりも下方に配置され、この角度調整金具取付部１７、１７ａに第１取付角度調整金具２２が取り付けられることになる。この変形例においても、上記の実施の形態と同様の作用効果を奏する。
【００６５】
図１２〜図１４には、取付治具１の他の変形例が示されている。この変形例は、水平材６５及び斜材６６のアングル材の向きが異なる場合に適用するとともに、第１取付手段１１、第２取付手段３５、及び第３取付手段３６の第２固定金具１５の金具本体１６を一対のブロック１６ｃ、１６ｃによって構成し、両ブロック１６ｃ、１６ｃの溝１６ｄ、１６ｄ間で水平材６５又は斜材６６を挟持し、この状態で両ブロック１６ｃ、１６ｃ間を棒ねじ１９とナット２１とによって締め付けるように構成したものである。この変形例においても、上記の実施の形態と同様の作用効果を奏する。
【００６６】
図１５には、取付治具１の他の変形例が示されている。この変形例は、水平材６５のアングル材の角部が塔芯側に位置する場合に適用したものであって、その他の構成は図１２に示すものと同様である。この変形例においても、上記の実施の形態と同様の作用効果を奏する。
【符号の説明】
【００６７】
１  風向風速計の取付け治具（取付け治具）
２  第１支持軸
３  第２支持軸
６  槍出し金具
７  梁材
８  斜材
９ａ、９ｂ、９ｃ  クランプ金具
１０  ねじ
１１  第１取付手段
１２  第１固定金具
１３  バンド部
１４  ねじ
１５  第２固定金具
１６  金具本体
１６ａ、１６ｂ  板片
１６ｃ  ブロック
１６ｄ  溝
１７、１７ａ  取付角度調整金具取付部
１８  ねじ締結体
１９  棒ねじ
２０  Ｌ型ワッシャ
２１  ナット
２２  第１取付角度調整金具
２３  金具本体
２３ａ、２３ｂ  板片
２４  ねじ締結体
２５  ボルト
２６  ナット
２７  第２取付角度調整金具
２８  連結部材
２８ａ  ボルト挿通用孔
２８ｂ  ボルト挿通用長孔
２９  ねじ締結体
３０  ねじ部
３１  ナット
３２  ねじ締結体
３３  ボルト
３４  ナット
３５  第２取付手段
３６  第３取付手段
３７  Ｔ型継手金具
３８  梁部材
３９  ねじ
４０  方位設定治具
４１  基準板
４２  基準点
４３  脚部
４４  キャップ
４５  基台
４６  ねじ
４７  ねじ
４８  リアサイト
４９  照準孔
５０  角度目盛板
５０ａ  スリット
５１  フロントサイト
５２  照準孔
５３  目標線
５４  磁方位線（磁北線）
５５  方位磁針
５６  真方位線（真北線）
５６ａ  表示棒
５７  水平器
５８  目標点
５９  蝶ねじ
６０  風向風速計
６１  鉄塔
６２  主柱材
６３  主水平材
６４  主斜材
６５  補助水平材（水平材）
６６  補助斜材（斜材）
【図１】
0006500515.tif 000002
【図２】
0006500515.tif 000003
【図３】
0006500515.tif 000004
【図４】
0006500515.tif 000005
【図５】
0006500515.tif 000006
【図６】
0006500515.tif 000007
【図７】
0006500515.tif 000008
【図８】
0006500515.tif 000009
【図９】
0006500515.tif 000010
【図１０】
0006500515.tif 000011
【図１１】
0006500515.tif 000012
【図１２】
0006500515.tif 000013
【図１３】
0006500515.tif 000014
【図１４】
0006500515.tif 000015
【図１５】
0006500515.tif 000016